(57)【要約】通信装置は、他の通信装置から他の通信装置の通信用識別情報と他の通信装置の目視確認用識別情報とを受信する通信手段と、通信手段にて受信された通信用識別情報および目視確認用識別情報を通信装置単位で互いに関連づけて記憶する記憶手段と、通信手段にて受信された目視確認用識別情報を表示する表示手段と、表示手段に表示された目視確認用識別情報の中から選択された目視確認用識別情報である選択識別情報を受け付ける受付手段と、記憶手段内で選択識別情報と関連づけられている通信用識別情報を通信相手の通信用識別情報として特定する制御手段と、を含む。
2013140854.tif 000002
【特許請求の範囲】
【請求項１】
他の通信装置から、当該他の通信装置の通信用識別情報と、当該他の通信装置の目視確認用識別情報と、を受信する通信手段と、
前記通信手段にて受信された通信用識別情報および目視確認用識別情報を、前記他の通信装置単位で互いに関連づけて記憶する記憶手段と、
前記通信手段にて受信された目視確認用識別情報を表示する表示手段と、
前記表示手段に表示された目視確認用識別情報の中から選択された目視確認用識別情報である選択識別情報を受け付ける受付手段と、
前記記憶手段内で前記選択識別情報と関連づけられている通信用識別情報を、通信相手の通信用識別情報として特定する制御手段と、を含む通信装置。
【請求項２】
前記他の通信装置の目視確認用識別情報は、当該他の通信装置の位置情報、または、当該他の通信装置が搭載されている車両の外観情報、または、当該他の通信装置の移動状態を表す移動状態情報、または、前記位置情報と前記車両の外観情報と前記移動状態情報のうちの２つ以上の組合せである、請求項１に記載の通信装置。
【請求項３】
前記他の通信装置の目視確認用識別情報は、当該他の通信装置の位置情報であり、
前記表示手段は、前記他の通信装置の位置情報を地図画面上に表示する、請求項１または２に記載の通信装置。
【請求項４】
前記受付手段は、タッチパネルであり、
前記タッチパネルは、前記地図画面上に表示された前記他の通信装置の位置情報の中からタッチにて指定された前記他の通信装置の位置情報を、前記選択識別情報として受け付ける、請求項３に記載の通信装置。
【請求項５】
前記受付手段は、前記選択識別情報を音声で受け付ける、請求項１から３のいずれか１項に記載の通信装置。
【請求項６】
前記制御手段は、前記記憶手段内で前記選択識別情報と関連づけられている通信用識別情報を用いて通信先を指定した識別情報確認用メッセージを、前記通信手段を介して送信し、当該識別情報確認用メッセージに対する応答として了解である旨の了解メッセージを、前記通信手段を介して受信すると、前記記憶手段内で前記選択識別情報と関連づけられている通信用識別情報を、前記通信相手の通信用識別情報として特定する、請求項１から５のいずれか１項に記載の通信装置。
【請求項７】
所定の問い合わせ情報に対応する回答情報を格納する格納手段をさらに含み、
前記識別情報確認用メッセージは、前記所定の問い合わせ情報を含み、
前記了解メッセージは、前記回答情報を含む、請求項６に記載の通信装置。
【請求項８】
自装置の通信用識別情報を更新する更新手段をさらに含み、
前記通信手段は、自装置の最新の通信用識別情報と自装置の目視確認用識別情報とをブロードキャスト送信する、請求項１から７のいずれか１項に記載の通信装置。
【請求項９】
通信装置が行う通信相手の通信用識別情報特定方法であって、
他の通信装置から、当該他の通信装置の通信用識別情報と、当該他の通信装置の目視確認用識別情報と、を受信し、
受信された通信用識別情報および目視確認用識別情報を、前記他の通信装置単位で互いに関連づけて記憶手段に記憶し、
受信された目視確認用識別情報を表示し、
表示された目視確認用識別情報の中から選択された目視確認用識別情報である選択識別情報を受け付け、
前記記憶手段内で前記選択識別情報と関連づけられている通信用識別情報を、通信相手の通信用識別情報として特定する、通信相手の通信用識別情報特定方法。
【請求項１０】
コンピュータに、
通信装置から、当該通信装置の通信用識別情報と、当該通信装置の目視確認用識別情報と、を受信する受信手順と、
受信された通信用識別情報および目視確認用識別情報を、前記通信装置単位で互いに関連づけて記憶手段に記憶する記憶手順と、
受信された目視確認用識別情報を表示する表示手順と、
表示された目視確認用識別情報の中から選択された目視確認用識別情報である選択識別情報を受け付ける受付手順と、
前記記憶手段内で前記選択識別情報と関連づけられている通信用識別情報を、通信相手の通信用識別情報として特定する制御手順と、を実行させるためのプログラムを記録したコンピュータ読み取り可能な記録媒体。
【発明の詳細な説明】
【技術分野】
【０００１】
本発明は、無線通信を行う通信装置、通信相手の通信用識別情報特定方法および記録媒体に関し、例えば、車載機として車両に搭載された他の通信装置と通信する通信装置、通信相手の通信用識別情報特定方法および記録媒体に関する。
【背景技術】
【０００２】
車両と車両との間の通信である車々間通信が知られている。車々間通信では、車両に搭載された各通信装置の間で無線通信が行われる。【０００３】
特許文献１には、車載された通信装置の通信用識別情報としてＩＰ（Internet Protocol）アドレスを用いて無線通信を行う無線データ送受信装置が記載されている。特許文献１に記載の無線データ送受信装置は、通信相手の通信用識別情報を用いて通信相手を指定して、通信相手と１対１通信を行う。
【先行技術文献】
【特許文献】
【０００４】
【特許文献１】特許第４２９６９１１号公報
【発明の概要】
【発明が解決しようとする課題】
【０００５】
車々間通信に用いられる通信装置の通信用識別情報は、通信装置のユーザのプライバシー保護のために時々変更されることになる。【０００６】
このため、特許文献１に記載の無線データ送受信装置は、通信相手の通信用識別情報（例えば、ＩＰアドレス）が変更されると、通信相手を特定できなくなり、通信相手との通信が困難になる。【０００７】
このため、通信相手の新たな通信用識別情報を入手するための手法が望まれるという課題があった。【０００８】
本発明の目的は、上記課題を解決可能な通信装置、通信相手の通信用識別情報特定方法および記録媒体を提供することである。
【課題を解決するための手段】
【０００９】
本発明の通信装置は、
他の通信装置から、当該他の通信装置の通信用識別情報と、当該他の通信装置の目視確認用識別情報と、を受信する通信手段と、
前記通信手段にて受信された通信用識別情報および目視確認用識別情報を、前記他の通信装置単位で互いに関連づけて記憶する記憶手段と、
前記通信手段にて受信された目視確認用識別情報を表示する表示手段と、
前記表示手段に表示された目視確認用識別情報の中から選択された目視確認用識別情報である選択識別情報を受け付ける受付手段と、
前記記憶手段内で前記選択識別情報と関連づけられている通信用識別情報を、通信相手の通信用識別情報として特定する制御手段と、を含む。【００１０】
本発明の通信相手の通信用識別情報特定方法は、
通信装置が行う通信相手の通信用識別情報特定方法であって、
他の通信装置から、当該他の通信装置の通信用識別情報と、当該他の通信装置の目視確認用識別情報と、を受信し、
受信された通信用識別情報および目視確認用識別情報を、前記他の通信装置単位で互いに関連づけて記憶手段に記憶し、
受信された目視確認用識別情報を表示し、
表示された目視確認用識別情報の中から選択された目視確認用識別情報である選択識別情報を受け付け、
前記記憶手段内で前記選択識別情報と関連づけられている通信用識別情報を、通信相手の通信用識別情報として特定する。【００１１】
本発明の記録媒体は、
コンピュータに、
通信装置から、当該通信装置の通信用識別情報と、当該通信装置の目視確認用識別情報と、を受信する受信手順と、
受信された通信用識別情報および目視確認用識別情報を、前記通信装置単位で互いに関連づけて記憶手段に記憶する記憶手順と、
受信された目視確認用識別情報を表示する表示手順と、
表示された目視確認用識別情報の中から選択された目視確認用識別情報である選択識別情報を受け付ける受付手順と、
前記記憶手段内で前記選択識別情報と関連づけられている通信用識別情報を、通信相手の通信用識別情報として特定する制御手順と、を実行させるプログラムを記録したコンピュータ読み取り可能な記録媒体である。
【発明の効果】
【００１２】
本発明によれば、通信相手の新たな通信用識別情報を入手することが可能になる。
【図面の簡単な説明】
【００１３】
【図１】本発明の一実施形態の通信装置１００を示したブロック図である。
【図２】合言葉記憶部１内の合言葉の一例を示した図である。
【図３】ＩＤ記憶部５内のＩＤと位置情報との一例を示した図である。
【図４】表示部６での表示例を示した図である。
【図５】通信装置１００の動作を説明するためのシーケンス図である。
【図６】通信装置１００ａおよび１００ｂを示したブロック図である。
【図７】通信部４とＩＤ記憶部５と表示部６とタッチパネル７と制御部８とからなる通信装置を示した図である。
【発明を実施するための形態】
【００１４】
以下、本発明の実施形態について図面を参照して説明する。
【００１５】
図１は、本発明の一実施形態の通信装置１００を示したブロック図である。
【００１６】
通信装置１００は、例えば、車両に搭載され車々間通信を行う。
【００１７】
図１において、通信装置１００は、合言葉記憶部１と、更新部２と、位置特定部３と、通信部４と、ＩＤ記憶部５と、表示部６と、タッチパネル７と、制御部８と、を含む。
【００１８】
合言葉記憶部１は、格納手段の一例である。
【００１９】
合言葉記憶部１は、予め定められた問い合わせを表す問い合わせ情報と、その問い合わせに対応する回答を表す回答情報と、を記憶する。合言葉記憶部１内の問い合わせ情報は、所定の問い合わせ情報の一例であり、合言葉記憶部１内の回答情報は、所定の問い合わせ情報に対応する回答情報の一例である。以下では、問い合わせ情報と回答情報とをまとめて「合言葉」と称する。
【００２０】
図２は、合言葉記憶部１内の合言葉（問い合わせ情報と回答情報）の一例を示した図である。
【００２１】
図２では、問い合わせ情報である「山」と、問い合わせ情報「山」に対応する回答情報である「川」とが、互いに関連づけられている。なお、合言葉は、問い合わせ情報と回答情報とで構成される一対の文字列に限らず、例えば一対の数字列（例えば、問い合わせ情報「0101025」と回答情報「1113728」）でもよく適宜変更可能である。
【００２２】
更新部２は、更新手段の一例である。
【００２３】
更新部２は、通信装置１００の通信用識別情報（以下「ＩＤ」と称する）を保持し、かつ、ＩＤを更新する。更新部２は、定期的（例えば、１分ごと、３０分ごと、または、１時間ごと）にＩＤを更新する。なお、更新部２は、通信装置１００に電源電圧が供給された際にＩＤを更新してもよい。更新部２は、更新後のＩＤを保持する。なお、ＩＤは、通信時に通信装置１００を特定するために用いられる。ＩＤは、例えばＩＰアドレスである。
【００２４】
位置特定部３は、通信装置１００の位置を表す位置情報を生成する。位置特定部３は、例えば、ＧＰＳ（Global Positioning System）を用いて通信装置１００の位置を定期的（例えば１分ごと）に取得し、通信装置１００の位置を表す位置情報を生成する。位置情報は、通信装置１００の目視確認用識別情報（所定識別情報）の一例である。なお、通信装置１００の位置を定期的に取得するタイミングは、１分ごとに限らず適宜変更可能である。
【００２５】
通信部４は、通信手段の一例である。
【００２６】
通信部４は、他の通信装置と通信する。
【００２７】
通信部４は、通信装置１００の最新のＩＤと通信装置１００の位置情報（最新の位置情報）とを、ブロードキャスト送信する。本実施形態では、通信部４は、定期的（例えば、１分ごと）に、通信装置１００の最新のＩＤと通信装置１００の位置情報とをブロードキャスト送信する。
【００２８】
なお、通信部４が通信装置１００の最新のＩＤと通信装置１００の位置情報とをブロードキャスト送信する時間間隔は、１分に限らず適宜変更可能である。また、通信部４は、他の通信装置から最新のＩＤの送信を要求する旨の送信要求を受信した際に、通信装置１００の最新のＩＤと通信装置１００の位置情報とをブロードキャスト送信してもよい。
【００２９】
また、通信部４は、他の通信装置から送信された、他の通信装置のＩＤおよび他の通信装置の位置情報を受信する。
【００３０】
ＩＤ記憶部５は、記憶手段の一例である。
【００３１】
ＩＤ記憶部５は、通信部４にて受信された他の通信装置のＩＤおよび他の通信装置の位置情報を、通信装置単位で互いに関連づけて記憶する。
【００３２】
図３は、ＩＤ記憶部５内のＩＤと位置情報との一例を示した図である。
【００３３】
図３では、例えば、ＩＤ＝「ａａｂｃｋ」と位置情報＝「××○×□○」とが互いに関連づけられている。なお、ＩＤ＝「ａａｂｃｋ」と位置情報＝「××○×□○」とは、同位置の通信装置から送信されたＩＤおよび位置情報である。
【００３４】
ＩＤ記憶部５内のＩＤと位置情報とは、ＩＤ記憶部５に所定期間（例えば、１分）記憶された後、例えば制御部８にて削除される。なお、所定時間は、１分に限らず適宜変更可能である。
【００３５】
表示部６は、表示手段の一例である。
【００３６】
表示部６は、通信部４が受信した位置情報を表示する。本実施形態では、表示部６は、地図画面上に位置情報を表示する。
【００３７】
なお、地図画面を表す地図情報は、例えば、合言葉記憶部１に記憶されてもよいし、制御部８が通信部４を用いて、外部の地図サーバ（不図示）から取得してもよい。本実施形態では、合言葉記憶部１が、地図情報を記憶しているとする。
【００３８】
図４は、表示部６での表示例を示した図である。
【００３９】
図４において、表示部６では、道路６１を表す地図画面６２上において、自装置の位置情報が表す位置に配置された自装置表示体６０１と、他の通信装置の位置情報が表す位置に配置された周辺車両表示体６０２および６０３が表示されている。また、自装置表示体６０１と、周辺車両表示体６０２および６０３とは、表示形態が異なっている。
【００４０】
なお、自装置表示体６０１の位置は、自装置の位置情報が表す位置であるため、自装置表示体６０１の位置は、自装置の位置情報を意味する。また、周辺車両表示体６０２および６０３の位置は、それぞれ、他の通信装置の位置情報が表す位置であるため、周辺車両表示体６０２および６０３の位置は、それぞれ、他の通信装置の位置情報を意味する。
【００４１】
通信装置１００のユーザは、実際にユーザが見て確認している周辺車両の状態と表示部６での表示とを比較して、周辺車両表示体の中から、通信相手となる通信装置を搭載した周辺車両表示体をタッチにて選択する。
【００４２】
タッチパネル７は、受付手段の一例である。
【００４３】
タッチパネル７は、表示部６の表示面の前面に配置され、通信装置１００のユーザによる周辺車両表示体へのタッチを検出する。
【００４４】
本実施形態では、タッチパネル７は、地図画面６２上に表示された周辺車両表示体の中からタッチにて指定された周辺車両表示体の位置を、選択位置情報として受け付ける。選択位置情報は、選択識別情報の一例である。
【００４５】
制御部８は、制御手段の一例である。
【００４６】
制御部８は、通信装置１００の動作を制御する。
【００４７】
例えば、制御部８は、ＩＤ記憶部５内で選択位置情報と関連づけられているＩＤを、通信相手のＩＤとして特定する。
【００４８】
本実施形態では、制御部８は、ＩＤ記憶部５内で選択位置情報と関連づけられているＩＤを用いて通信先を指定しかつ合言葉記憶部１内の問い合わせ情報「山」を含むＩＤ確認用メッセージを作成する。ＩＤ確認用メッセージは、識別情報確認用メッセージの一例である。制御部８は、通信部４を介してＩＤ確認用メッセージを送信する。
【００４９】
制御部８は、ＩＤ確認用メッセージに対する応答として了解である旨の了解メッセージ（例えば、問い合わせ情報「山」に対応する回答情報「川」を含む了解メッセージ）を、通信部４を介して受信すると、ＩＤ記憶部５内で選択位置情報と関連づけられているＩＤを、通信相手のＩＤとして特定する。
【００５０】
次に、動作を説明する。
【００５１】
図５は、通信装置１００の動作を説明するためのシーケンス図である。図５は、２台の通信装置１００ａおよび１００ｂの間の通信動作を示している。通信装置１００ａおよび１００ｂは、それぞれ、図１に示した通信装置１００と同一構成であるとする。
【００５２】
以下では、通信装置１００ａ内の合言葉記憶部１、更新部２、位置特定部３、通信部４、ＩＤ記憶部５、表示部６、タッチパネル７および制御部８を、図６に示すように、合言葉記憶部１ａ、更新部２ａ、位置特定部３ａ、通信部４ａ、ＩＤ記憶部５ａ、表示部６ａ、タッチパネル７ａおよび制御部８ａと称する。また、通信装置１００ｂ内の合言葉記憶部１、更新部２、位置特定部３、通信部４、ＩＤ記憶部５、表示部６、タッチパネル７および制御部８を、図６に示すように、合言葉記憶部１ｂ、更新部２ｂ、位置特定部３ｂ、通信部４ｂ、ＩＤ記憶部５ｂ、表示部６ｂ、タッチパネル７ｂおよび制御部８ｂと称する。
【００５３】
合言葉記憶部１ａおよび１ｂには、それぞれ、合言葉として、図２に示した問い合わせ情報「山」および回答情報「川」が記憶されているとする。例えば、通信装置１００ａのユーザと通信装置１００ｂのユーザとが、事前に合言葉を決めておき、通信装置１００ａのユーザがその合言葉を合言葉記憶部１ａに登録し、通信装置１００ｂのユーザがその合言葉を合言葉記憶部１ｂに登録する。なお、合言葉の登録手法は、上記に限らず適宜変更可能である。
【００５４】
なお、図５では、説明の簡略化を図るため、通信装置１００ａおよび１００ｂでのＩＤと位置情報のブロートキャスト送信のうち、通信装置１００ａでのブロードキャスト送信を示してあり、通信装置１００ａおよび１００ｂでの通信相手のＩＤ特定動作のうち、通信装置１００ｂでの通信相手のＩＤ特定動作を示してある。
【００５５】
以下、通信装置１００ｂが通信装置１００ａのＩＤを特定する動作を説明する。
【００５６】
制御部８ａは、例えば１分ごとに、更新部２ａから通信装置１００ａの最新のＩＤを読み出しかつ位置特定部３ａから通信装置１００ａの最新の位置情報を読み出す。
【００５７】
続いて、制御部８ａは、通信装置１００ａの最新のＩＤと通信装置１００ａの最新の位置情報とを、通信部４ａを介してブロードキャスト送信する（ステップＳ５０１）。
【００５８】
通信装置１００ｂでは、制御部８ｂは、通信部４ｂを介して通信装置１００ａの最新のＩＤと通信装置１００ａの最新の位置情報とを受信すると、通信装置１００ａの最新のＩＤと通信装置１００ａの最新の位置情報とを、ＩＤ記憶部５ｂに追加記憶する（ステップＳ５０２）。
【００５９】
なお、制御部８ｂは、通信装置１００ａの最新のＩＤと通信装置１００ａの最新の位置情報とを、現在時刻を表す時刻情報と共に、ＩＤ記憶部５ｂに追加記憶する。なお、制御部８ｂは、時刻情報を生成してもよいし、位置特定部３ｂがＧＰＳを使用している場合、ＧＰＳから時刻情報を取得してもよい。
【００６０】
続いて、制御部８ｂは、ＩＤ記憶部５ｂ内の時刻情報を参照して、ＩＤ記憶部５ｂに記憶されてから所定時間（例えば１分）経過したＩＤと位置情報を、ＩＤ記憶部５ｂから削除する（ステップＳ５０３）。
【００６１】
続いて、制御部８ｂは、位置特定部３ｂから通信装置１００ｂの最新の位置情報を読み出し、通信装置１００ｂの最新の位置情報が表す位置を含む地図情報を、合言葉記憶部１ｂから読み出す。
【００６２】
続いて、制御部８ｂは、地図情報が表す地図画面を表示部６ｂに表示する。続いて、制御部８ｂは、ＩＤ記憶部５ｂから位置情報を読み出し、ＩＤ記憶部５ｂから読み出された位置情報と、通信装置１００ｂの最新の位置情報とを、表示部６ｂが表示中の地図画面上に表示する（ステップＳ５０４）。
【００６３】
本実施形態では、制御部８ｂは、通信装置１００ｂの位置情報が表す地図画面上の位置に自装置表示体を表示し、ＩＤ記憶部５ｂから読み出された位置情報が表す地図画面上の位置に周辺車両表示体を表示する（図４参照）。
【００６４】
続いて、通信装置１００ｂのユーザは、実際に通信装置１００ｂのユーザが見て確認している周辺車両の状態と表示部６ｂが表示している地図画面とを比較して、地図画面上の周辺車両表示体の中から、通信相手となる通信装置を搭載した周辺車両表示体をタッチにて選択する。
【００６５】
周辺車両表示体がタッチされると、タッチパネル７ｂは、タッチにて指定された周辺車両表示体の位置を、選択位置情報として受け付ける（ステップＳ５０５）。以下では、通信装置１００ａに対応する周辺車両表示体がタッチされ、通信装置１００ａの位置を表す位置情報が、選択位置情報として受け付けられたとする。
【００６６】
タッチパネル７ｂは、選択位置情報を制御部８ｂに出力する。
【００６７】
制御部８ｂは、選択位置情報を受け付けると、ＩＤ記憶部５ｂ内で選択位置情報と関連づけられているＩＤ（通信装置１００ａのＩＤ）を用いて通信先として通信装置１００ａを指定しつつ合言葉記憶部１ｂ内の問い合わせ情報「山」を含むＩＤ確認用メッセージを作成する（ステップＳ５０６）。
【００６８】
続いて、制御部８ｂは、通信装置１００ａ宛のＩＤ確認用メッセージを送信する（ステップＳ５０７）。
【００６９】
通信装置１００ａでは、制御部８ａは、通信部４ａを介してＩＤ確認用メッセージを受信すると、ＩＤ確認用メッセージから問い合わせ情報「山」を読み出す。
【００７０】
続いて、制御部８ａは、合言葉記憶部１ａに、問い合わせ情報「山」が存在するかを判断する。
【００７１】
合言葉記憶部１ａに問い合わせ情報「山」が存在しない場合、制御部８ａは、ＩＤ確認用メッセージに応じた通信を終了する。
【００７２】
一方、合言葉記憶部１ａに問い合わせ情報「山」が存在する場合、制御部８ａは、合言葉記憶部１ａから、問い合わせ情報「山」に対応する回答情報「川」を読み出す。なお、図５では、合言葉記憶部１ａに問い合わせ情報「山」が存在するときの動作を示している。
【００７３】
続いて、制御部８ａは、回答情報「川」を含む了解メッセージを作成する（ステップＳ５０８）。
【００７４】
続いて、制御部８ａは、了解メッセージをＩＤ確認用メッセージの応答としてＩＤ確認用メッセージの送信元に通信部４ａを介して送信する（ステップＳ５０９）。
【００７５】
通信装置１００ｂでは、制御部８ｂは、通信部４ｂを介してＩＤ確認用メッセージの応答を受信すると、ＩＤ確認用メッセージの応答が了解メッセージであるかを判断する（ステップＳ５１０）。
【００７６】
本実施形態では、ＩＤ確認用メッセージの応答内に回答情報「川」が存在している場合には、制御部８ｂは、ＩＤ確認用メッセージの応答が了解メッセージであると判断する。一方、ＩＤ確認用メッセージの応答内に回答情報「川」が存在していない場合には、制御部８ｂは、ＩＤ確認用メッセージの応答が了解メッセージでないと判断する。
【００７７】
ＩＤ確認用メッセージの応答が了解メッセージである場合、制御部８ｂは、ＩＤ確認用メッセージの送信先を指定するために使用したＩＤを、通信相手のＩＤとして特定する（ステップＳ５１１）。
【００７８】
一方、ＩＤ確認用メッセージの応答が了解メッセージである場合、制御部８ｂは、通信相手のＩＤを特定できない旨の表示（例えば、「通信相手のＩＤを特定できません。」という表示）を表示部６ｂに実行させる。
【００７９】
次に、本実施形態の効果を説明する。
【００８０】
本実施形態によれば、通信部４は、他の通信装置から、他の通信装置のＩＤと他の通信装置の位置情報とを受信する。ＩＤ記憶部５は、通信部４にて受信されたＩＤおよび位置情報を、通信装置単位で互いに関連づけて記憶する。表示部６は、通信部４にて受信された位置情報を表示する。タッチパネル７は、表示部６に表示された位置情報の中から選択された選択位置情報を受け付ける。制御部８は、ＩＤ記憶部５内で選択位置情報と関連づけられているＩＤを、通信相手のＩＤとして特定する。
【００８１】
このため、通信装置１００のユーザが、例えば、実際の通信相手の位置を目視で確認し、その確認結果に基づいて、表示中の位置情報の中から、実際の通信相手の位置を表す選択位置情報を選択することで、通信相手の最新のＩＤを入手することが可能になる。
【００８２】
なお、上記効果は、通信部４とＩＤ記憶部５と表示部６とタッチパネル７と制御部８とからなる通信装置１００でも奏する。
【００８３】
図７は、通信部４とＩＤ記憶部５と表示部６とタッチパネル７と制御部８とからなる通信装置を示した図である。
【００８４】
また、本実施形態では、目視確認用識別情報として位置情報が用いられる。
【００８５】
このため、通信装置１００のユーザは、通信相手の実際の位置を確認して、選択位置情報を選択することが可能になる。
【００８６】
なお、目視確認用識別情報は、位置情報に限らず適宜変更可能である。例えば、目視確認用識別情報として、他の通信装置が搭載されている車両の外観（例えば、車両の色、または車種）を表す外観情報、または、他の通信装置の移動状態（例えば、移動の向き、移動速度、または停車しているか否かの停車情報）を表す移動状態情報、または、位置情報と車両の外観情報と移動状態情報のうちの２つ以上の組合せでもよい。
【００８７】
例えば、目視確認用識別情報として外観情報が用いられた場合、通信装置１００のユーザは、通信相手が搭載されている車両の実際の外観を確認して、選択識別情報（選択外観情報）を選択することが可能になる。
【００８８】
また、目視確認用識別情報として移動状態情報が用いられた場合、通信装置１００のユーザは、通信相手が搭載されている車両の実際の移動状態を確認して、選択識別情報（選択移動状態情報）を選択することが可能になる。
【００８９】
また、本実施形態では、目視確認用識別情報は、通信装置の位置情報であり、表示部６は、他の通信装置の位置情報を地図画面上に表示する。
【００９０】
このため、表示部６の表示が、通信相手と地図に表示された建物や道路との位置関係を表すようになる。よって、通信装置１００のユーザは、通信相手に対応する位置情報を精度よく選択することが可能になる。
【００９１】
また、本実施形態では、受付手段としてタッチパネル７が用いられ、タッチパネル７は、地図画面上に表示された他の通信装置の位置情報の中からタッチにて指定された他の通信装置の位置情報を、選択識別情報として受け付ける。
【００９２】
このため、通信装置１００のユーザは、地図画面上に表示された通信相手の位置情報をタッチするという直感的な操作で、通信相手の位置情報を選択識別情報として選択することが可能になる。
【００９３】
なお、受付手段は、タッチパネル７に限らず適宜変更可能である。例えば、選択識別情報を音声で受け付けるマイクが、受付手段として用いられてもよい。
【００９４】
また、本実施形態では、制御部８は、ＩＤ記憶部５で選択位置情報と関連づけられているＩＤを用いて通信先を指定したＩＤ確認用メッセージを、通信部４を介して送信し、ＩＤ確認用メッセージに対する応答として了解である旨の了解メッセージを、通信部４を介して受信すると、ＩＤ記憶部５内で選択位置情報と関連づけられているＩＤを、通信相手のＩＤとして特定する。
【００９５】
このため、通信相手の了解を得た後、通信相手のＩＤを特定することになる。よって、通信相手のＩＤを誤って特定することを防止可能となる。
【００９６】
また、本実施形態では、合言葉記憶部１は、問い合わせ情報に対応する回答情報を記憶する。ＩＤ確認用メッセージは、合言葉記憶部１内の問い合わせ情報を含み、了解メッセージは、合言葉記憶部１内の回答情報を含む。
【００９７】
このため、問い合わせ情報に対応する回答情報を認識している通信相手のＩＤが変更されても、通信相手の新たなＩＤを入手することが可能になる。
【００９８】
なお、ＩＤ確認用メッセージは、合言葉記憶部１内の問い合わせ情報を含まず、了解メッセージは、合言葉記憶部１内の回答情報を含まなくてもよい。
【００９９】
この場合、例えば、制御部８は、送信元のＩＤを含むＩＤ確認用メッセージ（以下「送信元ＩＤ付き確認用メッセージ」と称する）を作成し、送信元ＩＤ付き確認用メッセージを送信する。
【０１００】
送信元ＩＤ付き確認用メッセージを受信した他の通信装置内の制御部８は、位置情報を地図画面上に表示している表示部６に、通信相手の位置情報を選択する旨の表示（例えば、「通信相手を選択して下さい。」という表示）を実行させる。
【０１０１】
その後、他の通信装置内の制御部８は、送信元ＩＤ付き確認用メッセージに含まれる送信元のＩＤと、選択位置情報に関連づけられているＩＤとが一致すると、送信元ＩＤ付き確認用メッセージに対する応答として、了解である旨の了解メッセージを、送信元ＩＤ付き確認用メッセージの送信元に送信する。
【０１０２】
なお、制御部８は、ＩＤ確認用メッセージを送信することなく、ＩＤ記憶部５内で選択位置情報と関連づけられているＩＤを、通信相手のＩＤとして特定してもよい。この場合、図５に示されたステップＳ５０６〜Ｓ５１０が省略される。
【０１０３】
また、本実施形態では、更新部２は、通信装置１００のＩＤを更新する。通信部４は、通信装置１００の最新のＩＤと通信装置１００の位置情報とをブロードキャスト送信する。
【０１０４】
このため、通信装置１００は、自装置の最新のＩＤおよび位置情報を周囲の通信装置に通知することが可能になる。
【０１０５】
なお、本実施形態では、表示部６は、位置情報に応じた車両表示体を地図画面上に表示したが、位置情報の表示手法は、上記に限らず適宜変更可能である。例えば、表示部６は、位置情報をリスト形式で表示してもよい。
【０１０６】
また、通信装置１００は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、合言葉記憶部１、更新部２、位置特定部３、通信部４、ＩＤ記憶部５、表示部６、タッチパネル７および制御部８として機能する。記録媒体は、ＣＤ−ＲＯＭに限らず適宜変更可能である。
【０１０７】
以上説明した実施形態において、図示した構成は単なる一例であって、本発明はその構成に限定されるものではない。
【０１０８】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１２年３月１９日に出願された日本出願特願２０１２−６１６６４を基礎とする優先権を主張し、その開示の全てをここに取り込む。
【符号の説明】
【０１０９】
１００、１００ａ、１００ｂ  通信装置
１、１ａ、１ｂ      合言葉記憶部
２、２ａ、２ｂ      更新部
３、３ａ、３ｂ      位置特定部
４、４ａ、４ｂ      通信部
５、５ａ、５ｂ      ＩＤ記憶部
６、６ａ、６ｂ      表示部
７、７ａ、７ｂ      タッチパネル
８、８ａ、８ｂ      通信部
【図１】
2013140854.tif 000003
【図２】
2013140854.tif 000004
【図３】
2013140854.tif 000005
【図４】
2013140854.tif 000006
【図５】
2013140854.tif 000007
【図６】
2013140854.tif 000008
【図７】
2013140854.tif 000009
【手続補正書】
【提出日】平成26年9月5日(2014.9.5)
【手続補正１】
【補正対象書類名】特許請求の範囲
【補正対象項目名】請求項１０
【補正方法】変更
【補正の内容】
【請求項１０】
コンピュータに、
通信装置から、当該通信装置の通信用識別情報と、当該通信装置の目視確認用識別情報と、を受信する受信手順と、
受信された通信用識別情報および目視確認用識別情報を、前記通信装置単位で互いに関連づけて記憶手段に記憶する記憶手順と、
受信された目視確認用識別情報を表示する表示手順と、
表示された目視確認用識別情報の中から選択された目視確認用識別情報である選択識別情報を受け付ける受付手順と、
前記記憶手段内で前記選択識別情報と関連づけられている通信用識別情報を、通信相手の通信用識別情報として特定する制御手順と、を実行させるためのプログラム。
【手続補正３】
【補正対象書類名】明細書
【補正対象項目名】００１１
【補正方法】変更
【補正の内容】
【００１１】
本発明におけるプログラムは、
コンピュータに、
通信装置から、当該通信装置の通信用識別情報と、当該通信装置の目視確認用識別情報と、を受信する受信手順と、
受信された通信用識別情報および目視確認用識別情報を、前記通信装置単位で互いに関連づけて記憶手段に記憶する記憶手順と、
受信された目視確認用識別情報を表示する表示手順と、
表示された目視確認用識別情報の中から選択された目視確認用識別情報である選択識別情報を受け付ける受付手順と、
前記記憶手段内で前記選択識別情報と関連づけられている通信用識別情報を、通信相手の通信用識別情報として特定する制御手順と、を実行させる。
【国際調査報告】
2013140854.tif 000010
2013140854.tif 000011